(57)【要約】【課題】  シャワーヘッドホルダの調節範囲が付属物アイテムによって制限されないようにする。【解決手段】  その高さが調節可能であるようにしてシャワーヘッドホルダを取付けるための装置が、その高さがその前部表面において調節可能であるようにしてシャワーヘッドホルダを取付けるための中央の前向き溝を有する壁取付けレールを組込んでいる。付属物アイテムと、壁取付けレールを壁に取付けるためのものとして意図される壁ブラケットとによって係合され得る補助溝は、当該溝のいずれかの側面に配置される。【選択図】  図２
2004285818.tif 000002
【特許請求の範囲】
【請求項１】
壁取付けロッド（１）または壁取付けレールと、
壁取付けロッド（１）に沿って摺動され得るシャワーヘッドホルダ（５）と、
シャワーヘッドホルダ（５）のためのガイドとを有する、シャワーヘッドホルダ（５）をその高さが調節可能であるようにして取付ける装置であって、
主要ガイドとは独立している、その他の衛生用品または衛生設備用品（９，１０）のための少なくとも１つの補助ガイドを特徴とする、
シャワーヘッドホルダ取付け用装置。
【請求項２】
補助ガイドが、シャワーヘッドホルダのガイドに対して平行に位置合わせされることを特徴とする、請求項１に記載の装置。
【請求項３】
補助ガイドの形状が、少なくともそれらの長さ部分の一部に関してシャワーヘッドホルダ（５）のガイドのものと全く同じであることを特徴とする、請求項１または請求項２に記載の装置。
【請求項４】
補助ガイドの形状が、シャワーヘッドホルダ（５）のガイドのものとは異なっていることを特徴とする、請求項１または請求項２に記載の装置。
【請求項５】
シャワーヘッドホルダ（５）のガイドが前方に向いて、補助ガイドが側方に向いていることを特徴とする、請求項１〜４のいずれか１項に記載の装置。
【請求項６】
補助ガイドが、壁取付けロッド（１）の後部表面上および／または壁取付けロッド（１）の後部表面の近傍に配置されることを特徴とする、請求項１〜５のいずれか１項に記載の装置。
【請求項７】
シャワーヘッドホルダ（５）のガイドおよび／または補助ガイドが、好ましくは切込んだ溝または各溝（３，１８）である溝または各溝（３，１８）の形態を採って形成されることを特徴とする、請求項１〜６のいずれか１項に記載の装置。
【請求項８】
好ましくは主要ガイドに対して対称的に配置される１対の補助ガイドを有することを特徴とする、請求項１〜７のいずれか１項に記載の装置。
【請求項９】
壁取付けレール（１）を壁に取付ける少なくとも１つの壁ブラケット（２）を有することを特徴とする、請求項１〜８のいずれか１項に記載の装置。
【請求項１０】
壁ブラケット（２）が、シャワーヘッドホルダ（５）の調節を妨害しないようにして形成されることを特徴とする、請求項９記載の装置。
【請求項１１】
壁ブラケット（２）が、壁取付けロッド（１）に対して、その長さ部分に沿ったどこにでも取付けられ得るようにして形成されることを特徴とする、請求項９または請求項１０に記載の装置。
【請求項１２】
壁ブラケット（２）が、少なくとも１つの補助ガイドに係合し、好ましくは両方の補助ガイドにも係合することを特徴とする、請求項９〜１１のいずれか１項に記載の装置。
【請求項１３】
壁ブラケット（２）が、壁取付けロッドの２つの同軸的な部分（１ａ，１ｂ）を接合するように設計されることを特徴とする、請求項９〜１２のいずれか１項に記載の装置。
【請求項１４】
ガイド溝（３）が、シャワーホース（９）を収容するように形成されることを特徴とする、請求項１〜１３のいずれか１項に記載の装置。
【発明の詳細な説明】
【技術分野】
【０００１】
本発明は、取付け用装置に関し、シャワーヘッドをその高さが調節可能であるようにして取付ける装置に基礎を置く。
【背景技術】
【０００２】
シャワーヘッドをその高さが調節可能であるようにするためのものとして周知の取付け用装置は、壁の前方またはその上のいずれかに取付けられ、シャワーヘッドのホルダが、それに沿って摺動されることが可能であるガイドを有する垂直方向の壁取付けロッドである。シャワーヘッドは、通常、ホルダから取外され得るものであり、家屋の給水システムに対してシャワーホースによって接続される。ホルダは、水平方向軸の廻りにおいてシャワーヘッドをピボット旋回させるための設備を有する。多くの事例では、ホルダは、壁取付けロッドの長手方向軸であるか、或いは壁取付けロッドが輪郭形成されたストックの長さ部分である場合にはガイドに対して平行な軸の廻りのいずれかである、垂直方向軸の廻りにおいてピボット旋回されることもまた可能である。
【０００３】
例えば、液体石鹸、ブラシなどのためのホルダであり、ユーザーがシャワーを浴びる間に必要とするかまたは利用可能であることを所望する付属物アイテムが、壁取付けロッドに取付けられ得ることもまた周知である。これらの付属物アイテムは、一定の高さに位置決めされるようにして、例えば壁取付けロッドの底端部上のコンソールに取付けられる。それらの高さが調節可能であるようにしてそのような付属物アイテムが取付けられる場合、およびシャワーヘッドホルダを取付けるために使用されるものである同じ輪郭形成されたガイドが採用される場合には、シャワーヘッドホルダの移動は、当然ながら制限されることになる。
【発明の開示】
【発明が解決しようとする課題】
【０００４】
本発明の課題は、シャワーヘッドホルダの調節範囲がその他の付属物アイテムによって制限されない、調節可能なシャワーヘッドホルダおよび少なくとも１つのその他の付属物アイテムを取付ける装置を提供することにある。
【課題を解決するための手段】
【０００５】
その課題を解決するために、本発明は、請求項１において記述された各特徴を有する装置を提供する。本発明に関する実施形態は、その従属請求項によってカバーされる。
【０００６】
それに関わる補助ガイドは、シャワーヘッドホルダの壁取付けロッドと同じ調節範囲を提供する必要がないようにして、壁取付けロッドに対して平行に取付けられるロッドであっても良い。
【０００７】
本発明の実施形態によれば、補助ガイドは、シャワーヘッドホルダのガイドに対して平行に位置合せされるように規定されることが可能である。
【０００８】
本発明の実施形態によれば、補助ガイドの輪郭および断面形状は、シャワーヘッドホルダのガイドのものと全く同じであり、必要ではないが、同じ長さをも有し得るようにして、規定されることが可能である。例えば、貯蔵トレーに関して選択される調節範囲は、異なっていることが可能である。何故なら、貯蔵トレーは、当然ながら、オーバーヘッド式のシャワーヘッドとして使用される場合にはユーザーの身長を越える高さに取付けられるべきであるシャワーヘッドのホルダと同じ程度の高さに取付けられる必要がないからである。
【０００９】
補助ガイドの輪郭がシャワーヘッドホルダのガイドのものと全く同じである場合、その補助ガイドは、主要ガイドと同じアイテムを取付けるために採用されることも可能であり、同じホルダが採用され得る事例では第２のシャワーヘッドのガイドとして採用されることさえも可能である。
【００１０】
しかしながら、シャワーヘッドのガイドのものとは異なった輪郭を有する補助ガイドを採用することもまた、実行可能であり、かつ本発明によってカバーされるのであり、「異なった輪郭」は、異なった形状の断面または異なった長さ部分のいずれかであると解釈されることが可能である。それが異なった輪郭を有する場合であっても、補助ガイドは、それでもなお、必要に応じて、第２のシャワーヘッドを取付けるために採用されることが可能であり、第２のシャワーヘッドは、必要に応じて、第１のものとは異なっていることが可能である。異なった機能を有する数個のシャワーヘッドを様々なガイドに取付けることもまた、実行可能である。例えば、側面取付けシャワーヘッドは、特に壁取付けロッドが２つの部分によって構成される場合には、補助ガイド上を案内されることが可能である。何故なら、側面取付けシャワーヘッドの高さは、通常、主要シャワーヘッドの全調節範囲にわたって調節される必要がないからである。補助ガイドは、主として、シャワーヘッドホルダとは異なって処置される付属物アイテムを収容するためのものとして意図されているので、本発明に従えば、補助ガイドは、それに関わる付属物アイテムの様々な処置に適合するようにして適応されることが可能である。例えば、付属物アイテムの調節範囲は、主要ガイドに関するものと同じである必要がない。その一方で、それに関わる調節の形式は、異なって形成されることが可能である。何故なら、付属物アイテムの高さは、しばしば、全く変更される必要がないからである。更になお、互いの移動を制限する数個の衛生用品が、補助ガイド上に収容されることもまた可能である。しかしながら、これは、所定の状況下では、意図的なものである可能性もあり、或いは少なくとも何の問題も提起しないかもしれない。貯蔵トレーは、通常、シャンプーのボトル用のホルダよりも低い高さに取付けられるのである。
【００１１】
主要ガイドは、シャワーヘッドホルダのためのものとして意図されているので、本発明の詳細に従って、シャワーヘッドホルダのガイドは、前方に面するが、補助ガイドは、一方の側面に配置されると共に側方に面するものであり、輪郭形成されたストックの長さ部分の形態を採って形成される壁取付けロッドの場合には、ガイドが側方に向かって正確に方向付けされることを条件として、例えば、詳細に従って、輪郭形成された壁取付けロッドの後部表面の近傍に配置され得るようにして規定されることが可能である。
【００１２】
本発明の実施形態によれば、シャワーヘッドホルダのガイドおよび／または補助ガイドは、それ或いはそれらが好ましくは切込んだ溝である溝を有するようにして形成されると規定されることが可能である。切込み部は、それに関わるそれぞれのアイテムの各ホルダを保持するためのとりわけ簡単な手段を可能にする。
【００１３】
ユーザーの習慣およびニーズに対してその装置をより有効に適合させることを可能にするために、本発明の詳細に従って、壁取付けロッドまたは壁取付けレールは、好ましくは、シャワーヘッドホルダのガイドに対して対称的に配置されて形成される１対の補助ガイドを有するように規定されることが可能である。その場合には、例えば左利きの人に合わせるような現場での適応が実行され得ることになり、各ユーザーが彼ら自身で彼らの付属物アイテムをロッドまたはレールの左側に取付けたいのか或いは右側に取付けたいのかを決定することさえも可能になるのである。
【００１４】
当然ながら、１対の補助ガイドを取付けることは、前述の問題、すなわち単一のガイドのみが存在する場合には２つの付属物アイテムがそれらの調節範囲を分け合わなければならないという問題を解決することをも可能にする。
【００１５】
壁取付けロッドまたは壁取付けレールを取付けるためには、当然ながら、最も単純な事例では、それは、ロッドまたはレールの中の開口部を介して挿入されるネジを使用して、壁にネジ留めされることが可能である。しかしながら、本発明の詳細は、それに対して壁取付けロッドが取付けられ得る壁ブラケットが、一旦そのブラケットが壁にネジ留めされたならば、壁取付けロッドを取付けるために採用されることも可能であると提案する。壁ブラケットの採用は、壁への取付けを実質的に見えないものとする。その場合には、本発明の実施形態により、壁ブラケットは、シャワーヘッドホルダの調節を妨害しないようにして形成されると規定されることが可能である。詳細には、壁ブラケットは、その長さ部分に沿った任意の個所において壁取付けロッドに取付けられることが可能であり、修理の後に壁ブラケットが以前に取付けられていた同じ個所において壁ブラケットを壁に固定することを可能にすると規定されることが可能である。従って、初期の期日にドリル穿孔されていて、壁のどこかに残ってしまって、後で埋め直されなければならないような孔が、何も存在しないことになるのである。
【００１６】
本発明によって提供される、これらの目的を達成する特に適切な機会は、少なくとも１つの補助ガイドに係合し、好ましくは両方の補助ガイドに係合して、それに関わる付属物アイテムの調節範囲を制限するものではあるが、前述のように付属物アイテムの調節範囲がいずれにせよ非常に広範である必要はないので、それに対して実質的な悪影響を何も与えない壁ブラケットに関わるものである。
【００１７】
本発明に従って、壁ブラケットは、壁取付けロッドの２つの部分が接合される場所において取付けられ、それが壁取付けロッドの両方の部分を位置合せして固定するようにして形成されることが可能である。そのことは、その後、シャワーヘッドホルダの連続的なガイドを形成し、或いは形成し続けるようにして接合されることが可能になる数個のコンポーネントから、壁取付けロッドまたは壁取付けレールを組立てることを可能にするのである。
【００１８】
本発明に従って、シャワーヘッドホルダのガイド溝は、それと同時にシャワーホースを収容することも可能である。更に、クランプが、シャワーホースがガイドの中に留まるように規定することもまた可能である。このクランプは、補助ガイドの中に挿入されることが可能である。
【００１９】
本発明のその他の特徴、詳細および利点は、いずれも説明の内容に組み込まれ、各請求項および要約書と、本発明の好適な実施例に関する以下の説明とにおいて説明されるようなものであり、添付図面において示されるようなものでもある。
【実施例】
【００２０】
図１は、１対のホルダ２を使用して壁に固定される、輪郭形成された形状を有する壁取付けロッド１を示している。壁取付けロッド１は、その前部表面上、すなわち壁の反対側に向いた表面上において、頂部から底部まで延在する連続的な溝３を有する。例えば摩擦または保持要素によって適所に保持され得るスライダ４は、溝に沿って摺動され得るようにして溝の中に挿入される。ハンドヘルド式シャワーヘッドのグリップのためのレセプタクル６をその自由端部の近傍において有するホルダ５は、スライダ４に対して取付けられる。レセプタクル６は、水平方向軸の廻りにおいてピボット旋回可能である。ホルダ５は、スライダ４を使用して、キャップ７によって形成されるその上側端部から異なったキャップ８が存在するその下側端部まで、溝３の全長にわたって摺動されることが可能である。キャップ８は、溝３の延長部分を組込んでいる。
【００２１】
図２は、壁取付けロッド１が２つの部分すなわち上側部分１ａおよび下側部分１ｂによって構成される実施例を示している。この事例では、中央ホルダ２が壁取付けロッドの２つの部分の接合部に正確に配置されて、接合部の統合性と両者の部分の調節とが保証されるようにして、３つのホルダ２が、そのロッドを壁に固定する。
【００２２】
両者の図面では、ガイドの中に配置されていて、その目的が以下で説明されることになる貯蔵トレー９は、溝３の右側において壁取付けロッド１に取付けられる。貯蔵トレー９は、溝３の中におけるスライダ４を妨害することなく、溝の中を上向きに摺動されることが可能である。
【００２３】
その高さもまたホルダ５の調節を妨害することなく調節可能であるシャンプーのボトル１１用のホルダ１０は、溝３の左側に、従ってハンドヘルド式シャワーヘッドのホルダ５の左側に取付けられる。
【００２４】
同じ要素は、図２において示された実施例の場合にも存在する。
【００２５】
図３は、図１において示された装置の正面図を示している。ここでは、壁取付けロッド１上に保持されて案内される３つの要素、すなわちハンドヘルド式シャワーヘッドのホルダ５、貯蔵トレー９およびシャンプーのボトル１１用のホルダ１０は、調節されるとき互いに邪魔にならないということが、図１よりも明瞭に観察されることが可能である。
【００２６】
図４は、壁取付けロッド１を形成する、輪郭形成されたストックの長さ部分の断面図を示している。ここに含まれているものは、凸状に湾曲した前部表面１２上においてスライダ４を案内する（図１を参照）ために使用される、切込んだ溝３を有する中空の輪郭形成されたストックの長さ部分である。切込んだ溝３は、平坦な基部１３、その基部に直角に位置する２つの側壁１４、および２つの切込み部１５を有する。
【００２７】
輪郭形成されたストックの長さ部分は、その前部表面１２の反対側において、平坦でありかつ平坦なストリップ１７によってその側面を限定して形成される後部表面１６を有する。壁取付けロッド１の輪郭形成は、その後部表面１６に直に隣接して、１対の切込んだ溝１８を組込んでいる。各々のこれらの切込んだ溝１８は、各図面で示された付属物アイテムのためのガイドを形成するものであり、これらの溝は、当然ながら、その他の付属物アイテムを案内するために使用されることもまた可能である。１対のガイド１８は、側方に向いている。すなわち、各ガイドに移行する各スロットは、壁取付けロッドの前部表面に対して直角に方向付けされるのである。ガイド１８は、それらの分離が輪郭形成された壁取付けロッドの最大幅よりも小さくて、各ガイドが正面からは見えないようにして、配置される（図３を参照）。
【００２８】
壁取付けロッド１を形成する輪郭形成ストックの長さ部分は、金属によって構成され得るものであるが、例えばプラスチックによって構成されることも可能であるクラスプ１９は、右側のガイド１８の中に挿入される。このクラスプ１９は、溝３に移行するスロットのエッジを僅かに越えて延在するものであり、溝３の中に挿入されるホースは、クラスプ１９の先端部２０によって適所に保持される。
【００２９】
図５は、図４のものよりも大きな縮尺で描写された壁ブラケット２の断面図を示している。壁ブラケット２は、図示された具体例の場合には、座繰り孔２２によって取り囲まれている少なくとも１つの貫通孔２１を組込んでいる。ネジは、孔２２を介して挿入されるものであり、壁ブラケットは、壁にネジ留めされることが可能になる。壁ブラケットは、壁に面する壁取付けロッド１を形成する輪郭形成ストックの長さ部分の当該表面の輪郭に適合する嵌め合い表面を有する。従って、その対向するローブ２３の対は、各ガイド１８に係合するのであり、それによって、ホルダ２を輪郭形成された壁取付けロッド１に固定する。壁ブラケットの長さ部分、すなわち図５の断面平面に対して垂直であるその延長部分が十分であるならば、それは、図２で示された様式に従って壁取付けロッドの２つの部分を接合するために使用されることもまた可能である。
【００３０】
壁ブラケット２は、実質的にその任意の個所において輪郭形成された壁取付けロッド１に取付けられることが可能であるので、それは、修理作業の後に既存の各孔を使用して壁にネジ留めされることも可能である。
【００３１】
図６は、壁取付けロッド１に取付けられた付属物アイテムの頂面図を包含する、図１において示された装置のもう１つの断面図を示している。トレー９は、壁ブラケット２の下のポイントにおいてガイド１８に係合する。当該トレーは、輪郭形成されたロッドの背後にまで延在し、輪郭形成されたロッドの後部表面に当接するようにして設計される。当該トレーは、ガイド溝１８に係合するホルダ２上のものと同様な形状を有するローブ２３を有する。このローブもまた、所定の長手方向の延長部分を有することが可能であり、それは、トレー９の有効な案内と保持とを提供する。このローブは、トレー９が自己固着式であるようにして、ガイド溝１８の中に圧力嵌めされることもまた可能である。
【００３２】
シャンプーのボトル１１用のホルダ１０もまた、それと同じ様式でガイド溝１８に取付けられる。
【００３３】
シャワーヘッドホルダ５のスライダ４は、例えば、ガイドローラ上において溝３の中を案内されることも可能である。図６は、ホルダ５が、ネジ頭部２４によって示される垂直方向軸の廻りにおいてピボット旋回され得ることを示している。
【００３４】
図７は、壁取付けロッドが２つの接合された部分によって組立てられるシャワー装置の正面図を示している。先行する実施例の場合と同様に、トレー９およびシャンプーのボトル用のホルダは、それぞれに、輪郭形成されたロッドの左右に配置される各ガイドに取付けられる。
【００３５】
ハンドヘルド式シャワーヘッド２７のホルダ２６は、接合部２５上の所定の位置において右側の補助ガイドに取付けられる。明快にするために、その給水ホースは、示されていない。
【００３６】
明確にするためにそれらの給水管が示されなかった側面取付けシャワーヘッド２８は、トレー９の高さの下の各位置において補助ガイドに取付けられる。これらの側面取付けシャワーヘッド２８は、短い調節範囲のみを必要とするか、或いは全く調節される必要がないものである。何故なら、標準のホルダ６およびそれに付随のシャワーヘッドが、シャワーを浴びる流水のための頭上供給源を提供するために利用可能だからである。
【図面の簡単な説明】
【００３７】
【図１】その高さが調節可能であるハンドヘルド式シャワーヘッドの装置を示す図である。
【図２】２つの部分から組立てられる延長した壁取付けロッドを有する、図１のものに対応する装置を示している。
【図３】図１において示された装置の正面図である。
【図４】より大きな縮尺で描写された、図３において示された装置の断面図である。
【図５】水平方向平面において断面にされた、壁取付けロッドのホルダの断面図である。
【図６】より大きな縮尺で描写された、図３において示された装置の頂面図である。
【図７】図３において示されたものと同様な装置の正面図である。
【符号の説明】
【００３８】
１    壁取付けロッド
１ａ  上側部分
１ｂ  下側部分
３    溝
４    スライダ
５    ホルダ
７    キャップ
９    貯蔵トレー
１０    ホルダ
１１    シャンプーのボトル
１３    平坦な基部
１６    後部表面
１８    ガイド溝
１９    クラスプ
２０    先端部
２３    ローブ
２４    ネジ頭部
２５    接合部
２６    ホルダ
２７    ハンドヘルド式シャワーヘッド
【図１】
2004285818.tif 000003
【図２】
2004285818.tif 000004
【図３】
2004285818.tif 000005
【図４】
2004285818.tif 000006
【図５】
2004285818.tif 000007
【図６】
2004285818.tif 000008
【図７】
2004285818.tif 000009
【外国語明細書】
2004285818.tif 000010
2004285818.tif 000011
2004285818.tif 000012
2004285818.tif 000013
2004285818.tif 000014
2004285818.tif 000015
2004285818.tif 000016
2004285818.tif 000017
2004285818.tif 000018
2004285818.tif 000019
2004285818.tif 000020
2004285818.tif 000021
2004285818.tif 000022
2004285818.tif 000023
2004285818.tif 000024
2004285818.tif 000025
2004285818.tif 000026
2004285818.tif 000027
2004285818.tif 000028
2004285818.tif 000029